(57)【要約】【課題】シリンダー錠のキーがなくとも、シリンダー錠のロック状態を解除できる窓構造を提供すること。【解決手段】ビルなどに設けられる開放窓には、錠アッセンブリ３１が設けられ、錠アッセンブリ３１は室内側にシリンダー錠３２が設けられ室外側にサムターン３４が設けられ、ビル火災などの場合に、消防士はサムターン３４を回動させることによって、シリンダー錠３２の鍵がなくとも錠本体３３のロックを解除することができる。【選択図】図４
2008174939.tif 000002
【特許請求の範囲】
【請求項１】
窓枠の内側に障子が配設され、障子の室内側に設けたハンドル操作によって前記障子が窓枠の一側部を回動軸として全開するとともに前記窓枠の下枠を回動軸として半開する障子の多方向開放機構を備え、
前記ハンドルと連動して前記障子の周囲に摺動自在に配設される帯状の作動杵が前記多方向開放機構と連動し、該作動杵が前記障子を閉じ状態にする第１の位置と、前記障子を半開状態にする第２の摺動位置と、前記障子を全開状態にする第３の摺動位置とを有し、
前記作動杵には貫通孔を形成するとともに、前記窓枠と前記障子のいずれかにデッドボルトを前記貫通孔に差し込んで前記作動杵の摺動を規制する錠本体を設け、該錠本体には窓枠の室内側の鍵操作によって前記デッドボルトを前記貫通孔に差し込み可能なシリンダー錠と、該シリンダー錠と協働して、前記錠本体のデッドボルトをアンロック状態にすることができるロック解除部材を屋外側に配設したことを特徴とする窓構造。
【請求項２】
前記貫通孔は前記作動杵の摺動方向に形成された長孔であって、該貫通孔が前記デッドボルトの前記貫通孔への差込時に、前記作動杵を前記第１の摺動位置から前記第２の摺動位置への相互間の摺動を許容し、前記第１の摺動位置又は前記第２の摺動位置から前記第３の摺動位置への相互間の摺動を規制する長さに形成したことを特徴とする請求項１に記載の窓構造。
【請求項３】
前記障子の多方向開放機構は、前記窓枠の一側上部に設けられ、前記障子を内開き可能にする蝶番と、
前記窓枠の他側下部に設けられ、前記障子を内倒し可能にする支承部材と、
前記窓枠の一側下部に設けられ前記蝶番と協働して前記障子を内開き可能にする第２蝶番とともに前記支承部材と協働して前記窓枠を内倒し可能にするヒンジ軸を備えたヒンジ装置とを備え、
前記作動杵に第１ロックピン及び第２ロックピンを取付け、前記第１ロックピンが前記蝶番と係合可能で、前記第２ロックピンが前記支承部材と係合可能に取付けられ、
前記ハンドルによって摺動された作動杵の第３の摺動位置で、前記第２ロックピンが前記支承部材と非係合状態にされる一方、前記第１ロックピンが前記蝶番と係合し、該蝶番と前記ヒンジ装置の第２蝶番によって、前記障子を前記窓枠の一側部を回動軸として内開き可能に開放し、
前記ハンドルによって摺動された作動杵の第２の摺動位置で、前記第１ロックピンが前記蝶番と非係合状態にされる一方、前記第２ロックピンが前記支承部材と係合し、該支承部材と前記ヒンジ装置によって、前記障子が窓枠下部を回動軸にして内倒し可能に開放するようにしたことを特徴とする請求項１又は２に記載の窓構造。
【発明の詳細な説明】
【技術分野】
【０００１】
本発明は、窓枠を回動軸として障子を開放することができる窓構造に関する。
【背景技術】
【０００２】
窓には、内側に配設される障子について、障子の上側が外側に縦開きに回動（半開き状態、図３のＢ参照）するとともに、一側面が横開きに回動（全開状態、図３のＣ参照）するように構成された内倒し内開き窓（多方向開放窓ともいう）がある。
実公平６−１１３４９号公報に開示された内倒し内開き窓を図９に示す。
図に示すように、窓枠１は上枠２と下枠３と一方の縦枠４と他方の縦枠５とで四角形状に形成されている。窓枠１の内側に配設されている障子７は、上框８と下框９と一方の縦框１０と他方の縦框１１で四角形状枠に形成され、その内部にガラス１２が装着されている。
障子７には作動杵１４が配設され、他方の縦框１１には作動杆１４ａが摺動自在に配設され、上框８に沿って摺動自在な作動杆１４ｂが配設され、一方の縦框１０に沿って摺動自在な作動杆１４ｃが配設され、さらに下框９に沿って摺動自在な作動杆１４ｄが配設されている。これらの作動杵１４ａは各々が金属製の帯鋼で形成されている。
【０００３】
障子７の各コーナー部には、作動杵１４ａと作動杵１４ｂとの間にこれらの部材を連結する連結部材１５ａを取付け、作動杵１４ｂと作動杵１４ｃとの間にこれらの部材を連結する連結部材１５ｂを取付けている。そして、作動杵１４ｃと作動杵１４ｄ（作動杵１４ａ〜１４ｄの全体を作動杵１４とする）の間にこれらの部材を連結する連結部材１５ｃを取付け、作動杵１４と作動杵１４ａの間にこれらの部材を連結する連結部材１５ｄを取付けている。
連結部材１５ａ〜１５ｄは、フレキシブルな帯鋼などで形成されている。すなわち作動杵１４ａ〜１４ｄは、連結部材１５ａ〜１５ｄとともに４角枠を形成し、障子７の外周部に摺動自在に配設されている。
他方の縦框１１にはハンドル１６が回動自在に取付け、作動杆１４ａには、ハンドル１６に固着したピニオンと噛合し、ハンドル１６を回動すると上下に摺動して、四角枠形状の作動杵１４ａの全体が時計回り若しくは反時計周りに回動することができる。
【０００４】
図１０に示すように、窓枠１の一方の縦枠４の上部には、図１１に示す蝶番Ａが取付けられている。蝶番Ａは、一方の縦枠４の上部に取着した固定部材などのブラケット２０ａに縦ピン２０ｂで可動部材、例えば回転体２０ｃを回動自在に連結し、その回転体２０ｃに受け片２０ｄが設けられている。一方の縦框１０に沿って摺動する作動杵１４ｃには、受け片２０ｄと係脱自在なる係合部材、例えば係合ピン１９が固着してある。
蝶番Ａの受け片２０ｄには縦ガイド溝２０ｅが形成され、この縦ガイド溝２０ｅには、前記一方の縦框１０に沿って摺動する作動杵１４ｃに固着した係合部材、例えば係合ピン１９が上下動自在に差し込まれている。縦ガイド溝２０ｅの上部には、室内側に開口した切欠開口部２０ｆが形成され、この切欠開口部２０ｆより係合ピン１９が出没自在となっている。
【０００５】
図１２は、ヒンジ装置Ｂを示す。
ヒンジ装置は、縦枠４に取着した窓枠側部材６０と、縦框１０と下框９とのコーナー部に取着した障子側部材７０とを備え、窓枠側部材６０は取付ブラケット６１に縦軸６２を介して可動片６３を回動自在に支承すると共に、この可動片６３に円柱状の横軸６４を下框９の延在方向と平行に固着し、その取付ブラケット６１の円弧状端部６１ａをハウジング６５の半円形凹部６６内に嵌合してあり、取付ブラケット６１を縦枠４にビス止めしてある。
障子側部材７０は、縦片７１と横片７２とでＬ型となった本体７３を備え、その横片７２の厚肉部７２ａに下面と一側面とに開口した断面略半円形の凹陥溝７４を形成すると共に、他側面に透孔７５を形成している。その凹陥溝７４に横軸６４を嵌合すると共に、透孔７５より段付のビス７６を横軸６４のビス孔６７に螺入して横軸６４が回転自在なるように連結してある。そして、本体７３を縦框１０と下框９とのコーナー部に亘って配設し、ビス７７を縦框１０と下框９に設けたブロック材（図示せず）に螺合して取付けてある。なお、コーナー連結部材１５ｃにはビス７７が臨む長孔７０ａが形成され、コーナー連結部材１５ｃが摺動できるようにしてある。
【０００６】
図１３は、障子支承部材Ｄを示す。
障子支障部材は、縦枠５にブロック８０をビスで固着し、この受けブロック８０に上端面８０ａと内面８０ｂとに開口した縦溝８２を形成している。この縦溝８２の中間に開口した切欠部８３を開口し、縦框１１と下框９との連結コーナー部に、縦片８４ａと横片８４ｂとでコーナー部８４ｃが円弧状となったＬ型のガイドブロック８４をビス８５で固着している。縦片８４ａには、一対の支持片８６，８６を一体形成して縦ガイド溝８７を形成し、この縦ガイド溝８７に嵌合した縦杆８８の上端を作動杆１４ａに連結している。縦杆８８の下端には、係合部材８９を縦溝８２に沿って摺動自在なるように取付け、コーナー連結部材１５ｄの一端を作動杆１４ａに連結している。そして、ガイドブロック８４のコーナー部８４ｃに沿って下框９側に配設して作動杆１４ｄに連結してある。
【０００７】
図１４に示すように上框４には、アーム４２とレバー５１が設けられている。アーム４２には、長孔４２ａが形成され、レバー５１の他端に固着したピン５３は、アーム４２の長孔４２ａに臨ませてあり、そのレバー５１には係合凹溝５４と係合長溝５５とが長手方向反対方向に開口して形成され、係合凹溝５４は略長円形となって可動杵４８に突設した第１ピン５６と対向し、係合長溝５５は開口端に斜面５５ａを有し、かつ可動杵４８に突設した第２ピン５７と対向している。横材４９の長手方向一端側に形成したガイド長孔４１にアーム４２の先端に取着したピン４３が臨んでいる。
【０００８】
次に、窓の作動を説明する。
ハンドル１６が下向きにある障子７を閉じた状態では、図１０に示す蝶番Ａの係合ピン１９は縦ガイド溝２０ｅの下部に嵌合した第１位置Ｉにあり、障子支承装置Ｄの係合部材８９は、縦溝８２の上部に嵌合した第１位置Ｉにある。また、障子７の上部にある第１ピン５６と第２ピン５７は第１位置Ｉとなって第１ピン５６が係合凹溝５４と離れ、第２ピン５７が係合長溝５５内に位置している。
【０００９】
この状態よりハンドル１６の先端が横（第２位置）に向くようにハンドル１６を回転させると、作動杆１４は反時計回りに摺動し、係合ピン１９、第１ピン５６、第２ピン５７、係合部材８９も作動杵１４とともに反時計回りに移動し、各々が第２位置ＩＩに移動する。
これにより、蝶番Ａの係合ピン１９は縦ガイド溝２０ｅに沿って上方に摺動して切欠開口部２０ｆまで達せずに縦ガイド溝２０ｅに臨む第２位置ＩＩとなり、障子７の一方の縦枠４は係合ピン１９を介して受け片２０ｄに係合保持される。また、障子支承装置Ｄの係合部材８９は切欠部８３の高さ位置に配置され、障子支承装置Ｄとの係合状態が解除される。
この状態では、障子支承装置Ｄが係合部材８９の係合が解除されているので、係合部材８９が切欠部８３を通り抜けることができ、ハンドル１６を持ってハンドル１６を室内側に引くことで障子７がヒンジ装置Ｂの縦軸６２と蝶番２０の縦ピン２０ｂを回動軸として室内側に回動した内開き状態となる。
【００１０】
障子７を閉じた状態で、作動杵１４の第２位置ＩＩよりハンドル１６を更に回動させてハンドル１６の先端を上向きにすると、さらに作動杵１４が反時計回りに第２位置ＩＩから第３位置ＩＩＩに摺動し、係合ピン１９、第１ピン５６、第２ピン５７、係合部材８９も作動杵１４とともに反時計回りに移動し、各々が第３位置ＩＩＩに移動する。
すなわち、第１ピン５６が係合凹溝５４に嵌合する第３位置ＩＩＩ、第２ピン５７が係合長溝５５の斜面５５ａに接する第３位置ＩＩＩとなる。
障子支承部材Ｄの係合部材８９は切欠部８３より外れた第３位置ＩＩＩとなると共に、係合ピン１９は切欠開口部２０ｆに対向する第３位置ＩＩＩとなって一方の縦框１０は窓枠１の一方の縦枠４に対してフリーとなる。これより更にハンドル１６を回動すると第２ピン５７が斜面５５ａを押してレバー５１がピン５２を中心として回動され、かつ第１ピン５６も係合凹溝５４を押して回動される。
これにより、レバー５１を支持している障子７の上框４が室内側に押されて傾倒する。この時第１ピン５６は係合凹溝５４の半円形部分５４ｂに嵌合していると共に、係合ピン１９は切欠開口部２０ｆより室内側に離脱できるようなる。
すなわち、障子７はヒンジ装置Ｂの横軸６４の中心軸と障子支承装置Ｄの係合部材８９の中心軸を中心として傾動すると共に、係合ピン１９は切欠開口部２０ｆより室内側に離脱することが可能になる。
【００１１】
そして更にハンドル１６を手前に引くと、障子７は横軸６４と係合部材８９を回動軸として、縦開きすることができる。この際、第１ピン５６がピン５２を中心として更に回動し、レバー５１のピン５３がアーム４２の長孔４２ａに摺動しながら上框４を室内側に順次押して障子７を室内側に所定角度傾倒する。
この時、アーム４２のピン４３は横材４９のガイド長孔４１に沿って摺動すると共に、リンク４４に対して揺動する。
【００１２】
また、障子７を閉じる時には、ハンドル１６若しくは障子７を外側に押すとアーム４２とレバー５１が上述の動作と逆動作して、障子７が窓枠１に密着される。この状態で、ハンドル１６を上向きから反対方向に回動して下向きする。すると、作動杵１４が時計回りに第３位置ＩＩＩから第２位置ＩＩを越えて第１位置Ｉに摺動し、作動杵１４に取付けられている係合ピン１９、第１ピン５６、第２ピン５７、係合部材８９も作動杵１４とともに時計回りに移動し、各々が第１位置Ｉに移動し、窓枠１に障子７が固定される。
なお、障子７を相互に縦開き状態（第３位置ＩＩＩ）から横開き状態（第２位置ＩＩ）に相互に変更するには、障子７を一旦窓枠１に組み付けてからハンドル操作を行う。
【００１３】
本実施例では、ハンドル１６を横向きにして第２位置の内開き位置とし、上向きにして第３位置の縦開き位置としたが、この第２位置ＩＩの内開き状態と第３位置ＩＩＩの内倒し状態は、相互に入れ替えることができ、ハンドル１６を横向きにして第３の縦開き位置とし、上向きにして第２の横開き位置にすることができる。すなわち、受け片２０ｄの切欠開口部２０ｆの位置を受け片２０ｄの第２位置ＩＩに形成し、第３位置ＩＩＩで係合ピン１９を規制し、さらにブロック８０の切欠部８３の位置を第３位置に形成し第２位置で係合部材８９を規制することによって、第２位置ＩＩで内倒し状態とし、第３位置ＩＩＩで内開き状態に入れ替えることができる。本実施形態では、この第２位置ＩＩで内倒し状態とし、第３位置ＩＩＩで内開き状態となるタイプのものを使用して説明する。
【特許文献１】実公平６−１１３４９号公報
【発明の開示】
【発明が解決しようとする課題】
【００１４】
上述したように、開放窓は、ホテルなどのビルや高層ビルなどに多く使用されているが、このような建物に多方向開放窓を使用する場合は、安全上の理由などから、通常時では室内側から窓を開かないようするか若しくは開放できても僅かな隙間が開く程度の内倒し状態となるように設定し、窓が大きく開放される内開き状態はできないようにして使用されている。
そのため、多方向開放窓の室内側にシリンダー錠などを設けて窓を開放できないようにしているものがある。これについては、多方向開放窓のみならず、一方向開放窓についても同様なことがいえる。
【００１５】
また、ビルで火災が発生したような場合は、ビルの屋外から窓ガラスを割って、消防士がビルの内部に入って消化活動を行うようなことがある。このような場合では、開放窓に残っているガラスに消防士が触れたり、開放窓の大きさが小さい場合は、消防士が背負っている酸素ボンベなどが障子の框に引っ掛かったりするようなことがあり、開放窓が内開き状態のように全開することが好ましい。よって、消防士は窓ガラスのハンドルのある部分の近くのガラスを部分的に割って、その孔から腕を差し伸べて、ハンドルを把持して窓ガラスを内開きにして、開放窓を全開にする。
しかしながら、上述したようにハンドルがシリンダー錠にロックされているような場合は、シリンダー錠のキーによってハンドルのロック状態を解除しなければハンドルを回すことができず、開放窓を全開にすることができない。
本発明は、このような事情に鑑みてなされたものであって、シリンダー錠のキーがなくとも、シリンダー錠のロック状態を解除できる窓構造を提供することにある。
【課題を解決するための手段】
【００１６】
上記課題を解決するために、本発明の窓構造は、窓枠の内側に障子が配設され、障子の室内側に設けたハンドル操作によって前記障子が窓枠の一側部を回動軸として全開（内開き、外開き）するとともに前記窓枠の下枠を回動軸として半開（内倒し、外倒し）する障子の多方向開放機構を備え、前記ハンドルと連動して前記障子の周囲に摺動自在に配設される帯状の作動杵が前記多方向開放機構と連動し、該作動杵が前記障子を閉じ状態にする第１の位置と、前記障子を半開状態にする第２の摺動位置と、前記障子を全開状態にする第３の摺動位置とを有し、前記作動杵には貫通孔を形成するとともに、前記窓枠と前記障子のいずれかにデッドボルトを前記貫通孔に差し込んで前記作動杵の摺動を規制する錠本体を設け、該錠本体には窓枠の室内側の鍵操作によって前記デッドボルトを前記貫通孔に差し込み可能なシリンダー錠と、該シリンダー錠と協働して、前記錠本体のデッドボルトをアンロック状態にすることができるロック解除部材（サムターン、レバー、プッシュ式のロック解除部材など）を屋外側に配設した。
上記窓枠構造の前記貫通孔は前記作動杵の摺動方向に長く形成された長孔であって、該貫通孔が前記デッドボルトの前記貫通孔への差込時に、前記作動杵を前記第１の摺動位置から前記第２の摺動位置への相互間の摺動を許容し、前記第１の摺動位置又は前記第２の摺動位置から前記第３の摺動位置への相互間の摺動を規制する長さに形成することができる。
上記窓構造の前記障子の多方向開放機構は、前記前記窓枠の一側上部に設けられ、前記障子を内開き可能にする蝶番と、前記窓枠の他側下部に設けられ、前記障子を内倒し可能にする支承部材と、前記窓枠の一側下部に設けられ前記蝶番と協働して前記障子を内開き可能にする第２蝶番とともに前記支承部材と協働して前記窓枠を内倒し可能にするヒンジ軸を備えたヒンジ装置とを備え、前記作動杵に第１ロックピン及び第２ロックピンを取付け、前記第１ロックピンが前記蝶番と係合可能で、前記第２ロックピンが前記支承部材と係合可能に取付けられ、前記ハンドルによって摺動された作動杵の第３の摺動位置で、前記第２ロックピンが前記支承部材と非係合状態にされる一方、前記第１ロックピンが前記蝶番と係合し、該蝶番と前記ヒンジ装置の第２蝶番によって、前記障子を前記窓枠の一側部を回動軸として内開き可能に開放し、前記ハンドルによって摺動された作動杵の第２の摺動位置で、前記第１ロックピンが前記蝶番と非係合状態にされる一方、前記第２ロックピンが前記支承部材と係合し、該支承部材と前記ヒンジ装置によって、前記障子が窓枠下部を回動軸にして内倒し可能に開放することができる。
【発明の効果】
【００１７】
本発明の窓構造は、障子を前記窓枠にロックする錠本体を設け、該錠本体は窓枠の室内側の鍵操作によって前記錠本体をロック又はアンロック状態にするシリンダー錠と、窓枠の屋外側に設けたツマミ操作によって前記錠本体をアンロックするロック解除部材を設けるようにしたので、屋外側から錠本体をアンロックすることができる。
また、本発明の窓構造は、半開及び全開する多方向開放機構を備えた窓にも使用することができ、デッドボルトを作動杵に形成した貫通孔に差し込んでいるので、作動杵の摺動を確実に阻止することができる。この貫通孔の形状を変化させることによって、シリンダー錠をロックした状態でも、室内側から障子を半開させるような使用をすることができる。
【発明を実施するための最良の形態】
【００１８】
以下、本発明の実施の形態による窓構造について、図面を参照しながら説明する。なお、多方向開放窓の機構については、ハンドルの向き、操作などの相違はあるが、基本的に従来例と同じものを使用しているので、その詳細な説明を省略する。また、従来例による多方向開放窓と同一部材については同一の符号を付して説明する。
図１及び図２は、本発明に係わる窓構造を採用している多方向開放窓を示し、この窓枠１は、上枠２と下枠３と一方の縦枠４と他方の縦枠５とで四角形状に形成されている。窓枠１の内側に配設されている障子（ガラス窓）７は、上框８と下框９と一方の縦框１０と他方の縦框１１で四角形状枠に形成され、その内部にガラス１２が装着されている。障子７の周囲には、作動杵１４が摺動自在に配設されている。
【００１９】
障子７の一側部における中間位置には、作動杵のラック部と噛合するピニオンギヤ（図示せず）が取付けられたハンドル１６が取付けられている。ハンドル１６の回転方向に沿って、作動杵１４が摺動する構成になっている。
図３は、ハンドル１６の位置と障子の作動状態を示す。図３のＡは、障子７のハンドル１６を下方に向けた状態であり、窓の閉じ状態である。この状態からハンドル１６を横に向けると、図３のＢに示すように障子７は下枠３を回動軸として内倒しにできる。この状態からハンドル１６の先端を上に向けると、図３のＣに示すように、障子７を内開きにできる。障子７には、ハンドル１６の下部に錠アッセンブリ３１が配設されている。
【００２０】
次に、その錠アッセンブリについて説明する。
図４に示すように、錠アッセンブリ３１には、鍵によって操作するシリンダー錠３２が障子７の室内側に設けられ、障子７の縦框１１の内部には錠本体３３が設けられ、障子７の室外側にはサムターン３４が設けられている。
シリンダー錠３２は、図示しない鍵の回動によって回転される作動軸３２ａを設け、作動軸３２ａを錠本体３３の内部に挿入している。
サムターン３４は、図５に示すようにツマミ３４ａを設け、ツマミ３４ａにはツマミ３４ａとともに回転可能な作動軸３４ｃを設け、作動軸３４ｃの先端部を錠本体３３の内部に挿入している。なお、図５のＡは、サムターン３４のツマミ４ａが水平向きであってアンロック位置を示し、図５のＢはサムターン３４が垂直方向に向いたロック位置を示す。
【００２１】
図６は、錠本体３３を側面方向から見た断面図である。
錠本体３３には、回動可能な入力軸３５を設け入力軸３５の内部には内孔３５ａが形成され、内孔３５ａには、シリンダー錠３２の作動軸３２ａとサムターン３４の作動軸３４ｃとが嵌合されている。入力軸３５には入力軸３５の径方向に対向する矩形突起３５ｂと三角形突起３５ｃが形成されている。
入力軸３５の下側には、デッドボルト３６が配設されている。デッドボルト３６は基端部３６ａが二股に分かれて、錠本体３３の案内ブロック３３ａに跨るようにして、摺動可能に支持され、先端部３６ｂは上下方向に延在するフランジ３７に形成された開口部３７ａに摺動可能に支持されている。デッドボルト３６の基端側の上端部には凹溝３６ｃが形成され凹溝３６ｃの溝内部には、入力軸３５の矩形突起３５ｂが挿入されている。凹溝３６ｃの内溝側上縁部には、一対の傾斜面３６ｄが形成されている。
【００２２】
錠本体３３は、鍵を介してシリンダー錠３２が回動又はサムターン３４が回動することによって、入力軸３５が一方側に所定角度だけ回動すると、図６のＡに示すように、デッドボルト３６の先端部３６ｂが錠本体３３の外側に突出するように前進し、入力軸３５が他方側へ所定角度だけ回動するとデッドボルト３６の先端部３６ｂが錠本体３３の内方側へ戻るように後退する。
錠本体３３の上部側には、ボス３３ｂが形成されボス３３ｂの外周部には捻りバネ３８が巻回されている。捻りバネ３８の一端は、錠本体３３の内壁部を押圧するように付勢され、他端は入力軸３５の三角形突起３５ｃを押圧するように付勢されている。この捻りバネ３８は、入力軸３５を回動させて錠本体３３をロック及びアンロック状態に切り換える際に、三角形突起３５ｃが捻りバネ３８の他端側の押圧力に抗して、他端側を乗りこえるときの切換間の感触と切り替わった際にバネの押圧力によってサムターン３４の戻りを防止することができる。
【００２３】
次に、図６及び図７を参照にしてデッドボルト３６と作動杵１４の位置関係について説明する。
錠本体３３には、この錠本体３３に対向して作動杵１４が配設されている。作動杵１４は、図７のＡに示すように、障子７が閉じ状態（図３のＡ参照）では第１の摺動位置Ｉにあり、図７のＢに示すように、障子７が内倒し状態（図３のＢ参照）では第２の摺動位置ＩＩにあり、図７のＣに示すように、障子が内開き状態（図３のＣ参照）では第３の摺動位置ＩＩＩに移動に配置される。
図７中の丸長孔８１と丸長孔８１を貫通するストッパピン８３は、第１の摺動位置Ｉから第３の摺動位置ＩＩＩまでの作動杵１４の移動を許容するストッパとしての役割を果たしている。なお、説明の便宜上、丸長孔８１の下部の位置を基準にして、静止部であるデッドボルト３６との相対位置関係、すなわち、第１〜第３の摺動位置を示している。
【００２４】
作動杵１４の丸長孔８１の下部には、作動杵１４の摺動方向に長い矩形の貫通孔８２が形成されている。貫通孔８２を形成する位置は、デッドボルト３６の先端部３６ｂの高さに対応させて配置される。詳しくは、図７のＡ及びＢに示すように、作動杵１４が第１の摺動位置Ｉにあるときに、水平方向から見た先端部３６ｂに重なる部位から、作動杵１４の第２の摺動位置ＩＩに移動したときまでの間の先端部３６ｂに重なる作動杵１４の部位に貫通孔８２を形成している。図７のＣに示すように、作動杵１４が第３の摺動位置ＩＩＩにあるときの先端部３６ｂに重なる位置には形成されていない。
【００２５】
デッドボルト３６の先端部３６ｂと作動杵１４の水平方向における位置関係は、先端部３６ｂが前方に突出した状態では、図６のＡに示すように、先端部３６ｂが貫通孔８２を貫通する。一方、図６のＢに示すように、先端部３６ｂが後退した状態では、先端部３６ｂと作動杵１４とは間隔を開けた離間位置に配置される。したがって、作動杵１４の第１の摺動位置Ｉ及び第２の摺動位置ＩＩにおいて、先端部３６ｂは作動杵１４の貫通孔８２を貫通することができる。言い換えれば、障子７を閉じた状態で、ハンドル１６の閉じ状態及び内倒し状態でデッドボルト３６をロック位置にすることができ、内開き状態ではデッドボルト３６が作動杵１４の本体部分と接触してロックすることができない。
【００２６】
次に、本実施形態の窓構造の作用について説明する。
シリンダー錠３２がアンロック状態にある場合では、図６のＢに示すように、錠本体３３のデッドボルト３６の先端部３６ｂは、作動杵１４の面と離間した非係合状態にある。したがって、この状態では、障子７の閉じ状態から図３のＢ及びＣに示すように、ハンドル１６を回転させて障子７を内倒し、内開き状態にすることができ、室内の換気を行うことができる。
【００２７】
障子７の閉じた状態で、シリンダー錠３２をアンロック状態からロック状態にしたときには、図６のＡに示すように、デッドボルト３６の先端部３６ｂが、貫通孔８２を貫通する。したがって、図７のＡに示すように、作動杵１４は第１の摺動位置Ｉにおいて貫通孔８２を貫通する。この状態から、ハンドル１６を９０度回転させて水平位置にすると、図７のＢに示すように、作動杵１４は下側に移動し第２の摺動位置ＩＩに配置され、貫通孔８２は、デッドボルト３６が貫通している状態で、第１の摺動位置Ｉ及び第２の摺動位置ＩＩを移動することができる。したがって、作動杵１４を第２の摺動位置ＩＩに移動させることによって、障子７を内倒しすることができる。
【００２８】
この障子７の内倒し状態からさらに、ハンドル１６を回転させて、障子７を内開き状態に移行させると、すなわち、作動杵１４を図７のＢに示す状態から下側に摺動しようとすると、貫通孔８２の上縁部がデッドボルト３６の上面に当接し、それ以上の作動杵１４の下側への移動がデッドボルト３６に阻止される。したがって、作動杵１４は第３の摺動位置ＩＩＩに移動することができず、障子７が内開き状態になることを防止できる。
本実施形態の窓構造は、建物が高層であるような場合、特にホテルのような客室や、又は子供がいるような場合では、予期せぬ事故を防止するため障子が内倒しのみできるようにし、内開きを防止するので、このような使用状態を満たすことができる。
【００２９】
通常時では、障子７は閉じ状態（ハンドル１６もまた閉位置）であって、シリンダー錠３２がロック状態にあり、これに協働してサムターン３４もロック位置にある（図５のＡ参照）。ビル火災が発生したようなときに、消防士が外側から窓を介して外部から室内に入るときは、先ず、ロック状態にあるサムターン３４のツマミ３４ａを９０度回転させる。サムターン３４を回動させることによって、錠本体３３はアンロック状態となり、デッドボルト３６は、図６のＡの前進位置から図６のＢに示す後退位置に戻り、作動杵１４と係合状態が解除される。そして、消防士は、ハンドル１６の近くにある部分のガラスを割って、生じたガラス１２の孔から腕を差し伸ばしてハンドル１６を回し、障子７を内開き状態にすることができる。こうして、内開き状態になった障子７を全開させて、非常用窓として消防士が室内に入り込むことができ、消化活動を行うことができる。
なお、消防士が障子７のガラス１２を割って室内に進入するのは、屋外側にハンドル１６に対応するものを装着すると、建物の構造によっては、第三者がサムターンでロック解除し、屋外に設けたハンドルを用いて容易に室内に侵入することでき、防犯上好ましくないからである。必要に応じてそのようなハンドルを屋外に設けることは可能である。
【００３０】
次に、本発明の第２の実施形態について説明する。
本実施形態では、上記第１の実施形態の窓構造に対して作動杵の構造のみ異なり、他の構造は第１の実施形態と同じ多方向開放窓であり、同じ対応部分については同一の符合を付して説明する。
図８に示す作動竿１４は、障子７の閉じ状態である第１の摺動位置Ｉにある。作動杵１４には、貫通孔８２が設けられ、貫通孔８２の大きさは、上記実施の形態よりも小さく、デッドボルト３６の先端部３６ｂが差し込まれる程度の大きさである。
このような構成により、障子７の閉じ状態にて錠本体３３をロックしてデッドボルト３６によって作動杵１４の移動を規制することができる。この場合は、作動杵１４の摺動を規制しているので、ハンドル１６を回しても内倒し及び内開き状態にすることができない。障子７を開放するときは、シリンダー錠３２により錠本体３３のロック解除をして行う。このような第１の実施形態と異なる使用も可能である。
このように、内倒し及び内開きが規制される障子７について、シリンダー錠３２により障子７が内側からロックされているような場合でも、障子７の外側から、サムターン３４を回動することによって、デッドボルト３６を前進位置から後退位置にアンロックさせることができる。このように、デッドボルト３６と作動杵１４との係合を解除し、その結果、消火活動の場合に、消防士はガラスを割って、ロック状態から解除されたハンドル１６を内倒し位置、さらには内開き位置に回して、障子７を全開にして室内に入ることができる。
【００３１】
以上、本発明の実施の形態について説明したが、本発明の技術的思想に基づいて、勿論、本発明は種々の変形又は変更が可能である。
例えば、上記実施形態では、障子７を内倒し、内開き状態にある多方向開放窓を対象にして説明したが、多方向開放窓でなく作動杵１４を有さない一方向開放窓にも適用できる。この場合は、一方向開放窓がシリンダー錠のロック状態で障子を閉じ状態にし、錠本体が窓枠１の縦枠などにデッドボルトの係止孔を形成した場合であり、サムターンの回転によりシリンダー錠のロック状態を解除することによって、ハンドルを回して障子を全開状態にすることができる。
例えば、上記実施の形態では、図３に示すようにハンドル１６を横向きにすると、内開きとなり、ハンドル１６を上向きにすると内倒しになる障子７を例としたが、ハンドルを横向きにすると内倒しとなり、ハンドルを上向きにすると内開きになる内倒し内開き機構を有する障子にも適用が可能である。
また、上記実施形態では、デッドボルト３６を作動杵１４に差し込んだロック状態で、障子７の半開を許容し、障子７の全開を阻止したが、必要に応じて、障子７の全開を許容し、障子７の半開を阻止するような使用も可能である。
【図面の簡単な説明】
【００３２】
【図１】本発明の実施の形態の多方向開放窓を室内側から見た正面図である。
【図２】図１の多方向開放窓を室外側から見た多方向開放窓の背面図である。
【図３】図１の多方向開放窓動作説明をするための図であって、Ａは、障子が閉じ状態にあるときのハンドルと障子の概略図、Ｂは障子が内倒し状態にあるときのハンドルと障子の概略図、Ｃは、障子が内開き状態にあるときの障子の概略図である。
【図４】図１におけるＡ−Ａ線方向の断面図である。
【図５】Ａは図２の障子に配設されたサムターンのロック位置を示す錠アッセンブリの背面図、Ｂは図２の障子に配設されたサムターンのアンロック位置を示す錠アッセンブリの背面図である。
【図６】Ａは、図１の障子に配設された錠アッセンブリの錠本体がロック状態にある断面図、Ｂはアンロック状態にある断面図である。
【図７】図１の障子に設けられたデッドボルトと作動杵の関係を示す側面図であって、Ａは、作動杵が第１の摺動位置、Ｂは作動杵が第２の摺動位置、Ｃは作動杵が第３の摺動位置にある側面図である。
【図８】本発明の第２の実施形態のデッドボルトと作動杵の関係を示す側面図（図７のＡに対応する図）である。
【図９】従来（本実施形態の多方向解放機構の構造について基本的構造が同じである）の内倒し内開き窓の正面図である。
【図１０】図９の障子の操作系統の概略斜視図である。
【図１１】図９の障子の蝶番の斜視図である。
【図１２】図９のヒンジ装置の斜視図である。
【図１３】図９の支承部材の斜視図である。
【図１４】図９のリンク機構の斜視図である。
【符号の説明】
【００３３】
１  窓枠
７  障子
１４  作動杵
１６  ハンドル
３１  錠アッセンブリ
３２  シリンダー錠
３３  錠本体
３４  サムターン
３６  デッドボルト
３６ｂ  先端部
８２  矩形孔
【図１】
2008174939.tif 000003
【図２】
2008174939.tif 000004
【図３】
2008174939.tif 000005
【図４】
2008174939.tif 000006
【図５】
2008174939.tif 000007
【図６】
2008174939.tif 000008
【図７】
2008174939.tif 000009
【図８】
2008174939.tif 000010
【図９】
2008174939.tif 000011
【図１０】
2008174939.tif 000012
【図１１】
2008174939.tif 000013
【図１２】
2008174939.tif 000014
【図１３】
2008174939.tif 000015
【図１４】
2008174939.tif 000016